(57)【要約】      （修正有）【課題】洗濯物を外で干す場合に雨が降り出す前に雨よけシートを洗濯物に雨がかかることを防止し得る位置まで自動的に繰り出し、雨が止んだ時には雨よけシートを元の収納位置まで自動的に戻すようにした洗濯物用雨よけ装置を提供する。【解決手段】フレーム１には左右一対の案内レール５と、案内レールに沿って駆動手段７により進退する雨よけシート９と、光量を感知する光量センサー１１とを備え、光量センサーが感知する光量が一定未満になったときに雨よけシートが駆動手段により洗濯物に雨がかかることを防止し得る位置まで案内レールに沿って繰り出され、光量センサーが感知する光量が一定以上になったときに雨よけシートが駆動手段により元の収納位置まで戻るようにした。フレームには雨滴を感知する雨滴センサー２９を備え、雨滴を感知したときに雨よけシートが繰り出されるようにしてもよい。【選択図】図１
0003196329.tif 000002
【実用新案登録請求の範囲】
【請求項１】
フレームには左右一対の案内レールと、該案内レールに沿って駆動手段により進退する雨よけシートと、光量を感知する光量センサーとを備えさせ、該光量センサーが感知する光量が一定未満になったときに該雨よけシートが該駆動手段により洗濯物に雨がかかることを防止し得る位置まで該案内レールに沿って繰り出されるようにし、該光量センサーが感知する光量が一定以上になったときに該雨よけシートが該駆動手段により元の収納位置まで戻るようにしたことを特徴とする洗濯物用雨よけ装置。
【請求項２】
前記フレームには雨滴を感知する雨滴センサーを備えさせ、該雨滴センサーが雨滴を感知したときに前記雨よけシートが前記駆動手段により洗濯物に雨がかかることを防止し得る位置まで繰り出されることを特徴とする請求項１に記載の洗濯物用雨よけ装置。
【請求項３】
前記雨よけシートが洗濯物に雨がかかることを防止し得る位置にある場合に、前記光量センサーが一定以上の光量を感知し、かつ、前記雨滴センサーが雨滴を感知しないときには、該雨よけシートが前記駆動手段により元の収納位置まで戻るようにしたことを特徴とする請求項２に記載の洗濯物用雨よけ装置。
【考案の詳細な説明】
【技術分野】
【０００１】
本考案は、洗濯物用雨よけ装置に関するものであり、洗濯物を外で干す場合に雨が降り出す前に雨よけシートを洗濯物に雨がかかることを防止し得る位置まで自動的に繰り出し、雨が止んだ時には該雨よけシートを元の収納位置まで自動的に戻すようにした洗濯物用雨よけ装置に係るものである。
【背景技術】
【０００２】
特開平６−１４２３９４号公報は、軒下に設置される物干し竿の建物側を除く少なくとも三側方に雨よけ用の雨よけ部材を開閉自在に設けてなる物干し装置（以下「従来の物干し装置」という。）を開示している。
【先行技術文献】
【特許文献】
【０００３】
【特許文献１】特開平６−１４２３９４号公報
【考案の概要】
【考案が解決しようとする課題】
【０００４】
しかるに、従来の物干し装置においては、雨よけ部材を開閉する作業は天気の状態を見て人が手動で行わなければならない。すなわち、雨が降るおそれがあるときには人が手で雨よけ部材を閉じて雨に備え、雨が上がった時には人が手で雨よけ部材を開くのである。
【０００５】
一般に洗濯物は日光に直接当てた状態で干すことが望ましいと考えられるのであるが、洗濯物が雨で濡れることは絶対に避けなければならない。したがって、従来の物干し装置においては、外出する時点では晴れていても、帰宅する前に雨が降るおそれがある場合には、雨よけ部材を閉じた状態で外出せざるを得ない。換言すれば、外出する時点では、洗濯物に日光を直接当てることができるにもかかわらず、雨よけ部材を閉じて洗濯物に日光が直接当たらないようにした状態で外出せざるを得ないのである。また、雨よけ部材を閉じた状態で外出した場合、一旦雨が降った後、好天になった時でも人が雨よけ部材を開けない限り、洗濯物は日光が直接当たらない状態のままになっているという不都合もある。
【０００６】
本考案は、従来の物干し装置における上述の如き問題を解決し、洗濯物を外で干す場合に雨が降り出す前に雨よけシートを洗濯物に雨がかかることを防止し得る位置まで自動的に繰り出し、雨が止んだ時には該雨よけシートを元の収納位置まで自動的に戻すようにした洗濯物用雨よけ装置を提供しようとしてなされたものである。
【課題を解決するための手段】
【０００７】
上記課題を解決するために、本考案は下記の洗濯物用雨よけ装置を提供する。
【０００８】
（１）フレームには左右一対の案内レールと、該案内レールに沿って駆動手段により進退する雨よけシートと、光量を感知する光量センサーとを備えさせ、該光量センサーが感知する光量が一定未満になったときに該雨よけシートが該駆動手段により洗濯物に雨がかかることを防止し得る位置まで該案内レールに沿って繰り出されるようにし、該光量センサーが感知する光量が一定以上になったときに該雨よけシートが該駆動手段により元の収納位置まで戻るようにしたことを特徴とする洗濯物用雨よけ装置（請求項１）。
【０００９】
（２）前記フレームには雨滴を感知する雨滴センサーを備えさせ、該雨滴センサーが雨滴を感知したときに前記雨よけシートが前記駆動手段により洗濯物に雨がかかることを防止し得る位置まで繰り出される（請求項２）。
【００１０】
（３）前記雨よけシートが洗濯物に雨がかかることを防止し得る位置にある場合に、前記光量センサーが一定以上の光量を感知し、かつ、前記雨滴センサーが雨滴を感知しないときには、該雨よけシートが前記駆動手段により元の収納位置まで戻るようにする（請求項３）。
【考案の効果】
【００１１】
［請求項１の考案］
雨が降る場合には、通常、まず空が曇って周囲の光量が低下し、やがて雨が降り始める。周囲の光量が一定未満になると、直ちに光量センサーがこの状態を感知し、雨よけシートが駆動手段により洗濯物に雨がかかることを防止し得る位置まで案内レールに沿って繰り出される。すなわち、雨よけシートは、雨が降り始める前に、洗濯物に雨がかかることを防止し得る位置まで繰り出される。換言すれば、光量が一定未満になるまでの間は、日光があれば、洗濯物に日光が当たる。したがって、洗濯物を干した状態で外出した場合、日光があれば洗濯物に日光が当たるが、雨が降っても洗濯物に雨がかかるおそれはない。更に、雨よけシートが洗濯物に雨がかかることを防止し得る位置にある場合に光量センサーが感知する光量が一定以上になったときには、該雨よけシートが該駆動手段により元の収納位置まで戻る。すなわち、雨が止んだときには、雨よけシートが元の収納位置に戻るため、日光があれば、洗濯物に日光が当たるようになる。
【００１２】
［請求項２の考案］
例えば、夏のにわか雨の如く、周囲の光量が一定以上の場合にも雨が降ることもあり得る。光量センサーが感知する光量が一定以上である場合でも、雨滴センサーが雨滴を感知したときには雨よけシートが駆動手段により洗濯物に雨がかかることを防止し得る位置まで繰り出される。したがって、周囲の光量が一定以上の場合でも雨が降り始めたときには、シートが洗濯物に雨がかかることを防止し得る位置まで繰り出されるため、洗濯物が雨にぬれるおそれはほとんどない。
【００１３】
［請求項３の考案］
雨よけシートが洗濯物に雨がかかることを防止し得る位置にある場合に、雨が止み、周囲の光量が一定以上になったときには、雨よけシートが元の収納位置まで戻る。したがって、日光があるときには、洗濯物に日光が当たるようになる。
【図面の簡単な説明】
【００１４】
【図１】図１は、本考案による洗濯物用雨よけ装置の一例を示す斜視図である。
【図２】図２は、同上洗濯物用雨よけ装置の別の一例を示す側面図である。
【図３】図３は、同上洗濯物用雨よけ装置の更に別の一例を示す側面図である。
【図４】図４は、案内レール、雨よけシート等を示す斜視図である。
【図５】図５は、案内レール、雨よけシート等を示す側面図である。
【図６】図６は、案内レール、雨よけシート、駆動手段等を示す断面図である。
【図７】図７は、案内レール、雨よけシート、駆動手段等の相互関係を示す説明図であって、見やすくするために駆動手段等の位置を変えてある。
【図８】図８は、雨よけシートと牽引手段とを示す側面図である。
【図９】図９は、雨よけシートと牽引手段との関係の一例を示す断面図である。
【図１０】図１０は、雨よけシートと牽引手段との関係の別の一例を示す断面図である。
【考案を実施するための形態】
【００１５】
符号１に示すものは洗濯物用雨よけ装置のフレームである。図１に示すフレーム１ａは、例えば建物のベランダ、テラス、庭等に設置される。図２に示すフレーム１ｂは、例えば高層住宅におけるベランダ等に設置される。図２における符号３に示すものは物干し竿である。図３に示すフレーム１は、例えば建物の軒先等に設置される。
【００１６】
フレーム１には左右一対の案内レール５、５と、該案内レール５、５に沿って駆動手段７により進退する雨よけシート９と、光量を感知する光量センサー１１とを備えさせ、光量センサー１１が感知する光量が一定未満になったときに雨よけシート９が駆動手段７により洗濯物に雨がかかることを防止し得る位置まで該案内レール５、５に沿って繰り出されるようにする。また、光量センサー１１が感知する光量が一定以上になったときには該雨よけシート９が駆動手段７により元の収納位置（後述の雨よけシート用巻取軸２１ｂに巻き付けられた収納位置）まで戻るようにする。
【００１７】
各案内レール５は、相対向させた状態でフレーム１に取り付けられている。各案内レール５は、一例として、該案内レール５を長さ方向に貫通する断面略円形状の案内孔１３を備えると共に、相対向する面に長さ方向の案内溝１５を備え、該案内溝１５は該案内レール５の外部より該案内孔１３に連通している。
【００１８】
雨よけシート９は、該雨よけシート９を牽引する牽引手段１７を左右両縁に固定している。該牽引手段１７は、各案内レール５の案内孔１３内を駆動手段７により前後動することにより、雨よけシート９を進退させる。該雨よけシート９は、各案内レール５の案内溝１５を貫通している。該雨よけシート９は、非使用時には収納位置にコンパクトに収納されているが、使用時には駆動手段７により洗濯物に雨がかかることを防止し得る位置に繰り出される。すなわち、雨よけシート９は、収納位置と洗濯物に雨がかかることを防止し得る位置との間を駆動手段７により牽引手段１７を介して案内レール５に案内されて進退する。
【００１９】
牽引手段１７は、一例として、図８に示すように、大径部１７ａの両端に柔軟な小径部１７ｂ’、１７ｂ”を固定してなる。小径部１７ｂ’は、雨よけシート９が洗濯物に雨がかかることを防止し得る位置に繰り出されるときの前側に位置し、小径部１７ｂ”は、小径部１７ｂ’とは反対側の後側に位置する。
【００２０】
牽引手段１７を雨よけシート９の左右各縁に固定する際には、例えば次のようになす。すなわち、雨よけシート９が薄い材料により形成されている場合には、図９に示すように、雨よけシート９の各縁９ａを牽引手段１７の大径部１７ａに巻き付けて該雨よけシート９の本体部９ｂに固着する。また、雨よけシート９が厚い材料により形成されている場合には、図１０に示すように、雨よけシート９の各縁９ａを牽引手段１７の大径部１７ａに該雨よけシート９とは別体の取り付けシート１９を介して固着する。雨よけシート９の前側端と後側端とには、好ましくは、シート保護部材２０を取り付ける。
【００２１】
雨よけシート９を進退させる駆動手段７の一例について、図４〜図７を参照して説明する。駆動手段７は、一例として、駆動軸２１をフレーム１の後側部に取り付け、該駆動軸２１をチェーン等の伝動手段２３を介して正逆回転可能な電気モータ２５に関連させ、該駆動軸２１には左右一対の小径部用巻取軸２１ａ、２１ａと雨よけシート用巻取軸２１ｂとを備えさせ、各案内レール５の前側端の近傍には折り返し案内手段２７を配設し、各牽引手段１７における小径部１７ｂ’を折り返し案内手段２７により折り返して該小径部１７ｂ’の端部を小径部用巻取軸２１ａに固定すると共に各牽引手段１７における小径部１７ｂ”の端部を該小径部用巻取軸２１ａに固定し、雨よけシート９の後側端を雨よけシート用巻取軸２１ｂに固定してなるものである。電気モータ２５の電源は、交流、直流の如何を問わない。ソーラーパネル３１により発電された電力を電気モータ２５の電源として使用してもよい。図４、図５において符号２７ａに示すものは小径部１７ｂ’が折り返し案内手段２７から外れることを防止するための押え手段であり、符号２８に示すものは補助案内手段である。
【００２２】
上記駆動手段７においては、雨よけシート９を洗濯物に雨がかかることを防止し得る位置に繰り出すときには、電気モータ２５により左右一対の小径部用巻取軸２１ａ、２１ａを駆動軸２１と共に一定の方向に回転させて牽引手段１７を前進させる。しかるときは、該牽引手段１７と共に雨よけシート９が洗濯物に雨がかかることを防止し得る位置に各案内レール５に沿って繰り出される。また、雨よけシート９を元の収納位置に戻すときには、電気モータ２５を前記と反対の方向に回転させるのである。
【００２３】
更に、前記フレーム１には雨滴を感知する雨滴センサー２９（図１参照）を備えさせ、該雨滴センサー２９が雨滴を感知したときに雨よけシート９が駆動手段７により洗濯物に雨がかかることを防止し得る位置まで繰り出されるようにしてもよい。なお、雨滴センサー２９は前記光量センサー１１と一体化させてもよい。
【００２４】
また、雨よけシート９が洗濯物に雨がかかることを防止し得る位置にある場合に、光量センサー１１が一定以上の光量を感知し、かつ、雨滴センサー２９が雨滴を感知しないときには、該雨よけシート９が駆動手段７により元の収納位置まで戻るようにしてもよい。
【符号の説明】
【００２５】
１  フレーム
１ａ  フレーム
１ｂ  フレーム
３  物干し竿
５  案内レール
７  駆動手段
９  雨よけシート
９ａ  縁
９ｂ  本体部
１１  光量センサー
１３  案内孔
１５  案内溝
１７  牽引手段
１７ａ  大径部
１７ｂ’  小径部
１７ｂ”  小径部
１９  取り付けシート
２０  シート保護部材
２１  駆動軸
２１ａ  小径部用巻取軸
２１ｂ  雨よけシート用巻取軸
２３  伝動手段
２５  電気モータ
２７  折り返し案内手段
２７ａ  押え手段
２８  補助案内手段
２９  雨滴センサー
３１  ソーラーパネル
【図１】
0003196329.tif 000003
【図２】
0003196329.tif 000004
【図３】
0003196329.tif 000005
【図４】
0003196329.tif 000006
【図５】
0003196329.tif 000007
【図６】
0003196329.tif 000008
【図７】
0003196329.tif 000009
【図８】
0003196329.tif 000010
【図９】
0003196329.tif 000011
【図１０】
0003196329.tif 000012